(57)【特許請求の範囲】
【請求項１】
複数のクライアント装置と交信可能であるとともに複数の金融機関のコンピュータと交信可能な住宅ローン仲介システムであって、
前記クライアント装置に、自己資金額を示す情報と、借入金額の算出の基礎となる情報と、建物以外の費用の算出の基礎となる情報とを含む資金計画情報を入力可能な資金計画入力画面を、送信する資金計画入力画面送信手段と、
前記クライアント装置から、前記資金計画入力画面において入力された前記資金計画情報を受信して、前記資金計画情報に基づいて、借入金額と建物以外の費用とを算出するとともに、前記自己資金額を示す情報で示された自己資金額と、借入金額とを合計した総予算から、建物以外の費用を減算することにより建物に掛けられる費用（以下、「建物費用」という。）を算出し、借入金額と建物以外の費用と建物費用と含む資金計画結果を、前記クライアント装置に送信する資金計画結果送信手段と、
前記クライアント装置に、当初貯蓄残高を示す情報と、年収の算出の基礎となる情報と、年間支出の算出の基礎となる情報と、年間返済額の算出の基礎となる情報とを含む返済計画情報を入力可能であって、前記資金計画情報及び前記資金計画結果の少なくともいずれかから抽出した情報が既入力された返済計画入力画面を、送信する返済計画入力画面送信手段と、
前記クライアント装置から、前記返済計画入力画面において入力された返済計画情報を受信して、前記返済計画情報に基づいて、年毎の年間収支と年間貯蓄残高とを算出し、年間収支と年間貯蓄残高とを含む返済計画結果を、前記クライアント装置に送信する返済計画結果送信手段と、
前記クライアント装置に、借入金額を示す情報と年収を示す情報と自己資金額を示す情報と氏名とを含む借入条件情報を入力可能であって、前記資金計画情報、前記資金計画結果、及び、前記返済計画情報の少なくともいずれかから抽出した情報が既入力された借入条件入力画面を、送信する借入条件入力画面送信手段と、
前記クライアント装置から、前記借入条件入力画面において入力された前記借入条件情報を受信し、前記借入条件情報に基づいて返済が困難か否かを判定する借入条件判定手段と、
前記借入条件判定手段が返済困難でないと判断した前記借入条件情報を、前記氏名を除いた状態で表示されるように、前記金融機関のコンピュータに送信し、前記借入条件判定手段が返済困難であると判断した前記借入条件情報は、前記金融機関のコンピュータに送信しない借入条件情報送信手段と、
前記金融機関のコンピュータにおいて前記借入条件情報に対して入力された住宅ローン情報を、前記金融機関のコンピュータから受信して記憶する住宅ローン情報記憶手段と、
前記住宅ローン情報記憶手段により記憶された前記住宅ローン情報を、前記クライアント装置に送信する住宅ローン情報送信手段と、
前記クライアント装置において選択された前記住宅ローン情報を示す住宅ローン選択情報と入力された連絡先情報とを、前記クライアント装置から受信し、当該住宅ローン選択情報と当該連絡先情報とに基づいて、前記氏名を含む前記借入条件情報と前記連絡先情報とを含んだ事前審査申込情報を作成し、当該住宅ローン選択情報で示される前記住宅ローン情報を入力した前記金融機関のコンピュータに、当該事前審査申込情報を送信する事前審査申込情報送信手段と、
を有することを特徴とする住宅ローン仲介システム。
【請求項２】
前記借入条件判定手段が返済困難と判定したとき、前記資金計画入力画面送信手段が前記クライアント装置に前記資金計画入力画面を送信することを特徴とする請求項１記載の住宅ローン仲介システム。
【請求項３】
前記クライアント装置に、前記金融機関を選択するための金融機関選択画面を送信し、前記金融機関選択画面において選択された前記金融機関を示す金融機関情報を、前記クライアント装置から受信する金融機関情報受信手段を備え、
前記借入条件情報送信手段が、前記金融機関情報受信手段により受信された前記金融機関情報が示す前記金融機関のコンピュータにのみ、前記借入条件情報を送信することを特徴とする請求項１または２記載の住宅ローン仲介システム。
【請求項４】
商品である住宅に関する商品情報が格納された商品情報データベースを備え、
前記資金計画情報に建物の坪数の算出の基礎となる情報が含まれ、
前記資金計画結果送信手段が、前記建物の坪数の算出の基礎となる情報に基づいて建物の坪数を算出して、前記建物費用を前記坪数で除算することにより建物の坪単価を算出し、前記資金計画結果に前記坪単価を含めて前記クライアント装置に送信し、
前記坪単価に適合する商品の前記商品情報を、前記商品情報データベースから抽出して、前記クライアント装置に送信する商品情報送信手段を有することを特徴とする請求項１、２または３記載の住宅ローン仲介システム。
【発明の詳細な説明】
【技術分野】
【０００１】
本発明は、借入側にとって有利な住宅ローンを選択可能とするコンピュータを用いた住宅ローン仲介システムに関する。
【背景技術】
【０００２】
出願人は、先に、建物の建設における商品選択のためのコンピュータシステムについて出願した（下記特許文献１参照）。このコンピュータシステムは、顧客が建物及び建設資金に関する条件を入力すると、建物の建設費用を算出し、それに適合する各住宅会社の商品（建物）を表示して顧客に選択させ、選択された商品を有する住宅会社に、顧客が入力した条件から抽出した情報及び算出した建物本体価格等を含む設計情報を、送信するものである。
【先行技術文献】
【特許文献】
【０００３】
【特許文献１】特許第４２０５９３４号公報
【発明の概要】
【発明が解決しようとする課題】
【０００４】
ところで、住宅を新築する際は、資金計画と建物の選択が重要であり、上記コンピュータシステムによれば、建物の選択が容易となる。しかし、資金計画については、金融機関が提供する住宅ローンには、借入側の条件（勤務先、勤務年数、年収、家族構成等）により待遇（金利や保証料等）が異なるものがあり、多種多様な住宅ローンから個人が自分の条件に適合するものを選択することは困難であるため、結局、選択した建物の住宅会社に紹介された金融機関で、ローンを組んでしまうこととなり、借入側にとって有利な住宅ローンを選択できているとはいえなかった。
【０００５】
また、個人が返済計画を立てることは困難であるため、せっかく建物を選択して住宅ローンを申し込んでも、返済に無理があるとしてローンが組めず、建物の選択からやり直すことになることがあった。
【０００６】
さらに、住宅ローンを借りて建物を建てるときには、借入に係る諸費用等、建物以外の費用が掛かり、個人が自己の借入額の中で、実際に建物にどの程度の費用を掛けられるのかを知ることは困難であった。
【０００７】
本発明は、上述した問題を解決するものであり、借入側にとって有利かつ返済に無理のない住宅ローンを選択可能であるとともに、建物に掛けられる費用を知ることが可能な住宅ローン仲介システムを提供することを目的とする。
【課題を解決するための手段】
【０００８】
本発明の住宅ローン仲介システムは、複数のクライアント装置と交信可能であるとともに複数の金融機関のコンピュータと交信可能な住宅ローン仲介システムであって、前記クライアント装置に、自己資金額を示す情報と、借入金額の算出の基礎となる情報と、建物以外の費用の算出の基礎となる情報とを含む資金計画情報を入力可能な資金計画入力画面を、送信する資金計画入力画面送信手段と、前記クライアント装置から、前記資金計画入力画面において入力された前記資金計画情報を受信して、前記資金計画情報に基づいて、借入金額と建物以外の費用とを算出するとともに、前記自己資金額を示す情報で示された自己資金額と、借入金額とを合計した総予算から、建物以外の費用を減算することにより建物に掛けられる費用（以下、「建物費用」という。）を算出し、借入金額と建物以外の費用と建物費用と含む資金計画結果を、前記クライアント装置に送信する資金計画結果送信手段と、前記クライアント装置に、当初貯蓄残高を示す情報と、年収の算出の基礎となる情報と、年間支出の算出の基礎となる情報と、年間返済額の算出の基礎となる情報とを含む返済計画情報を入力可能であって、前記資金計画情報及び前記資金計画結果の少なくともいずれかから抽出した情報が既入力された返済計画入力画面を、送信する返済計画入力画面送信手段と、前記クライアント装置から、前記返済計画入力画面において入力された返済計画情報を受信して、前記返済計画情報に基づいて、年毎の年間収支と年間貯蓄残高とを算出し、年間収支と年間貯蓄残高とを含む返済計画結果を、前記クライアント装置に送信する返済計画結果送信手段と、前記クライアント装置に、借入金額を示す情報と年収を示す情報と自己資金額を示す情報と氏名とを含む借入条件情報を入力可能であって、前記資金計画情報、前記資金計画結果、及び、前記返済計画情報の少なくともいずれかから抽出した情報が既入力された借入条件入力画面を、送信する借入条件入力画面送信手段と、前記クライアント装置から、前記借入条件入力画面において入力された前記借入条件情報を受信し、前記借入条件情報に基づいて返済が困難か否かを判定する借入条件判定手段と、前記借入条件判定手段が返済困難でないと判断した前記借入条件情報を、前記氏名を除いた状態で表示されるように、前記金融機関のコンピュータに送信し、前記借入条件判定手段が返済困難であると判断した前記借入条件情報は、前記金融機関のコンピュータに送信しない借入条件情報送信手段と、前記金融機関のコンピュータにおいて前記借入条件情報に対して入力された住宅ローン情報を、前記金融機関のコンピュータから受信して記憶する住宅ローン情報記憶手段と、前記住宅ローン情報記憶手段により記憶された前記住宅ローン情報を、前記クライアント装置に送信する住宅ローン情報送信手段と、前記クライアント装置において選択された前記住宅ローン情報を示す住宅ローン選択情報と入力された連絡先情報とを、前記クライアント装置から受信し、当該住宅ローン選択情報と当該連絡先情報とに基づいて、前記氏名を含む前記借入条件情報と前記連絡先情報とを含んだ事前審査申込情報を作成し、当該住宅ローン選択情報で示される前記住宅ローン情報を入力した前記金融機関のコンピュータに、当該事前審査申込情報を送信する事前審査申込情報送信手段と、を有することを特徴とする。
【０００９】
ここで、前記借入条件判定手段が返済困難と判定したとき、前記資金計画入力画面送信手段が前記クライアント装置に前記資金計画入力画面を送信することとしてもよい。
【００１０】
また、前記クライアント装置に、前記金融機関を選択するための金融機関選択画面を送信し、前記金融機関選択画面において選択された前記金融機関を示す金融機関情報を、前記クライアント装置から受信する金融機関情報受信手段を備え、前記借入条件情報送信手段が、前記金融機関情報受信手段により受信された前記金融機関情報が示す前記金融機関のコンピュータにのみ、前記借入条件情報を送信することとしてもよい。
【００１１】
また、商品である住宅に関する商品情報が格納された商品情報データベースを備え、前記資金計画情報に建物の坪数の算出の基礎となる情報が含まれ、前記資金計画結果送信手段が、前記建物の坪数の算出の基礎となる情報に基づいて建物の坪数を算出して、前記建物費用を前記坪数で除算することにより建物の坪単価を算出し、前記資金計画結果に前記坪単価を含めて前記クライアント装置に送信し、前記坪単価に適合する商品の前記商品情報を、前記商品情報データベースから抽出して、前記クライアント装置に送信する商品情報送信手段を有することこととしてもよい。
【発明の効果】
【００１２】
本発明によれば、返済困難でないと判断された借入条件情報は、金融機関のコンピュータに送信され、返済困難であると判断された借入条件情報は、金融機関のコンピュータに送信されず、金融機関のコンピュータが受信した借入条件情報に対して入力した住宅ローン情報は、クライアント装置に送信される。したがって、借入希望者は、返済困難でないと判断された借入条件情報に対して各金融機関が入力した住宅ローン情報を、クライアント装置で閲覧して比較することができ、借入側にとって有利かつ返済に無理のない住宅ローンを選択可能となる。また、入力された資金計画情報に基づいて算出された建物費用が、資金計画結果に含められてクライアント装置に送信されるので、借入希望者は建物に掛けられる費用を知ることができる。
【図面の簡単な説明】
【００１３】
【図１】本発明の一実施形態に係るシステム概略構成図である。
【図２−１】同実施形態に係る処理の流れの一例を示すフローチャートである。
【図２−２】同実施形態に係る処理の流れの一例を示すフローチャートであり、図２−１の続きである。
【図３−１】資金計画入力画面の一例を示す図である。
【図３−２】資金計画入力画面の一例を示す図であり、図３−１の続きである。
【図３−３】資金計画入力画面の一例を示す図であり、図３−２の続きである。
【図４−１】資金計画結果画面の一例を示す図である。
【図４−２】資金計画結果画面の一例を示す図であり、図４−１の続きである。
【図５−１】返済計画入力画面の一例を示す図である。
【図５−２】返済計画入力画面の一例を示す図であり、図５−１の続きである。
【図５−３】返済計画入力画面の一例を示す図であり、図５−２の続きである。
【図５−４】返済計画入力画面の一例を示す図であり、図５−３の続きである。
【図５−５】返済計画入力画面の一例を示す図であり、図５−４の続きである。
【図６−１】第１の返済計画結果画面の一例を示す図である。
【図６−２】第２の返済計画結果画面の一例を示す図である。
【図７−１】借入条件入力画面の一例を示す図である。
【図７−２】借入条件入力画面の一例を示す図であり、図７−１の続きである。
【図８】金融機関選択画面の一例を示す図である。
【図９】借入条件一覧画面の一例を示す図である。
【図１０−１】住宅ローン情報入力画面の一例を示す図である。
【図１０−２】住宅ローン情報入力画面の一例を示す図であり、図１０−１の続きである。
【図１１−１】住宅ローン情報一覧画面の一例を示す図である。
【図１１−２】住宅ローン情報一覧画面の一例を示す図であり、図１１−１の続きである。
【図１２】商品情報一覧画面の一例を示す図である。
【発明を実施するための形態】
【００１４】
以下、本発明の一実施形態を図面に基づいて説明する。図１に示す実施形態の住宅ローン仲介システム１は、サーバコンピュータからなり、マウス、キーボード等から構成された入力部１１、ＣＰＵ、ＲＡＭ、ＲＯＭ等から構成された演算・制御部１２、半導体メモリ、ハードディスク装置、コンパクト・ディスク装置等から構成された記憶部１３、インターネット等の通信回線を介して他のコンピュータと通信を行うための通信部１４、及び、液晶ディスプレイ等から構成された表示部１５を備えている。なお、「入力」というときは、入力部１１からの入力以外に、通信部１４を介して他のコンピュータから情報を受信する場合や、記憶部１３に装着されたコンパクト・ディスク等の記録媒体から情報を読み取る場合も含む。
【００１５】
記憶部１３には、顧客情報が記憶される顧客情報ＤＢ（データベース）１６、商品情報が記憶される商品情報ＤＢ１７、住宅ローン情報が記憶される住宅ローン情報ＤＢ１８が、記憶されている。ここで、商品とは住宅（建物）であり、商品情報とは住宅に関する情報であって、少なくとも商品名とその住宅を販売する住宅会社名と坪単価とが含まれる。なお、坪数によって坪単価が異なる場合には、坪数とそれに応じた坪単価とが含まれる。また、記憶部１３には、後述する資金計画入力画面、返済計画入力画面、借入条件入力画面、金融機関選択画面や、資金計画結果、返済計画結果、商品情報等の各種情報を表示する画面等、各種画面を表示するためのデータ（例えば、ＨＴＭＬファイル）も記憶されている。なお、「画面を送信する」とは、画面を表示するためのデータを送信する意である。
【００１６】
住宅ローン仲介システム１は、インターネットに接続されて、インターネットを介して、複数のクライアント装置２と交信可能であるとともに、複数の金融機関のコンピュータ３と交信可能である。各クライアント装置２は、住宅ローンの借入希望者が用いるコンピュータである。
【００１７】
次に、住宅ローン仲介システム１の動作について説明する。上述したように、クライアント装置２、及び、コンピュータ３はそれぞれ複数存在するが、ここでは、１つのクライアント装置２、１つのコンピュータ３で代表させて説明する。
【００１８】
図２−１に示すように、住宅ローンの借入を希望する借入希望者が、クライアント装置２においてインターネットを介して住宅ローン仲介システム１にアクセスし、所定の操作を行うと、クライアント装置２は、資金計画入力画面を住宅ローン仲介システム１に要求し（ステップＳ１０１）、住宅ローン仲介システム１はそれに応じて資金計画入力画面をクライアント装置２に送信し（Ｓ１０２  資金計画入力画面送信手段）、クライアント装置２には、図３−１〜３−３に示すような資金計画入力画面が表示される（Ｓ１０３）。
【００１９】
資金計画入力画面は、資金計画情報を入力可能に構成され、資金計画情報には、自己資金額を示す情報（以下、「自己資金情報」という。）と、借入金額の算出の基礎となる情報（以下、「借入情報」という。）と、建物以外の費用の算出の基礎となる情報（以下、「費用情報」という。）と、建物の坪数の算出の基礎となる情報が含まれている。借入希望者は、自己資金情報として自己資金額を、資金計画入力画面に設けられている自己資金入力部２１に入力する。なお、自己資金額を示す情報とは、自己資金額を直接的に示す情報（例えば、自己資金額そのもの）に限らず、自己資金額を間接的に示す情報も含む意であり、自己資金額を間接的に示す情報には、例えば、その情報から所定の計算式により自己資金額を算出できたり、その情報と住宅ローン仲介システム１が記憶している情報とにより自己資金額を算出できたりするような、自己資金額の算出の基礎となる情報も含むものとする。借入金額を示す情報、年収を示す情報等についても同様である。
【００２０】
また、借入情報として、月々の返済額（希望額）、ボーナス月の返済加算額（希望額）、ローンを組む年数、当初金利固定とする年数（以下、「当初固定年数」という。）、及び、金利（当初金利）を、資金計画入力画面に設けられている借入情報入力部２２の該当する欄に入力する。なお、金利については、「銀行金利一覧ページ」と記載されている部分をクリックすると、住宅ローン仲介システム１から、記憶部１３内に記憶されている各銀行の金利の一覧が、クライアント装置２に送信されて表示されるので、借入希望者はその一覧を参照できる。ここで入力される月々の返済額及びボーナス月の返済加算額は、借入希望者が希望する希望額である。
【００２１】
また、費用情報としては、家（住宅）を建てる地域を示す地域情報、建物の解体の有無を示す情報、希望する部屋の数及び広さを示す部屋情報があり、また、カーテン費用、照明費用、外構費用、引越し費用、土地代、その他の費用を、それぞれ示す情報がある。なお、費用や金額を示す情報には、費用や金額の算出の基礎となる情報を含むものとする。また、部屋情報が、建物の坪数の算出の基礎となる情報に相当する。借入希望者はこれらの情報を、資金計画入力画面に設けられている地域情報入力部２３、解体情報入力部２４、部屋情報入力部２５、カーテン情報入力部２６、照明情報入力部２７、外構情報入力部２８、引越し費用入力部２９、土地代入力部３０、及び、その他の費用入力部３１において、該当するものを選択或いは該当する欄に入力することにより、入力する。なお、資金計画入力画面は、建物の解体有りの場合には、さらに、解体する建物の坪数及び構造を示す情報を入力可能に構成されている。
【００２２】
そして、借入希望者が資金計画入力画面に設けられている結果表示ボタン３２をクリックすると、クライアント装置２は、入力された資金計画情報を住宅ローン仲介システム１に送信し（Ｓ１０４）、住宅ローン仲介システム１は、受信した資金計画情報に基づいて、借入金額と建物以外の費用と建物費用（建物に掛けられる費用）とを算出する。
【００２３】
詳しくは、住宅ローン仲介システム１は、借入情報に基づいて月々の返済額を算出するとともに、ボーナス併用の場合にはさらにボーナス月の返済加算額を算出し、月々の返済額からの借入金額とボーナス月の返済加算額からの借入金額とを算出する。なお、当初固定年数経過後の金利は、当初金利に対し予め設定した金利を上乗せしたものを用いて、当初固定年数経過後の月々の返済額を算出するとともに、ボーナス併用の場合にはさらにボーナス月の返済加算額を算出する。そして、月々の返済額からの借入金額と、ボーナス月の返済加算額からの借入金額とを合算したものを、全体の借入金額とする。以下、単に「借入金額」というときは、全体の借入金額をいう。
【００２４】
また、住宅ローン仲介システム１は、土地代とその土地代から決定した仲介手数料とを合算することにより、土地購入費を算出する。なお、住宅ローン仲介システム１は、土地代から所定の計算式により仲介手数料を算出し、あるいは、土地代に対応付けて仲介手数料を予め記憶部１３に記憶しておいて、その仲介手数料を用いる。
【００２５】
また、住宅ローン仲介システム１は、借入金額から、借入諸費用として、印紙税、融資手数料、ローン保証料、火災保険料、つなぎ融資関係費用、及び、団体信用生命保険関係費用を決定する。なお、印紙税、融資手数料等についても、仲介手数料と同様に、借入金額等から所定の計算式により計算し、あるいは、借入金額等に対応付けられて予め記憶部１３に記憶しておいたものを用いる。
【００２６】
また、住宅ローン仲介システム１は、建物の解体有りの場合には、解体する建物の坪数及び構造を示す情報から、解体にかかる費用を算出する。なお、構造に応じた解体建物坪単価（坪当たり建物解体費用）が、予め記憶部１３に記憶され、この解体建物坪単価を用いて建物解体費用を算出する。解体時の住み替え費用については、予め目安となる費用が、予め記憶部１３に記憶されているものとする。これら、建物解体費用と住み替え費用とを合算したものが、解体にかかる費用となる。
【００２７】
また、住宅ローン仲介システム１は、カーテン費用、照明費用、部屋情報、外構費用、引越し費用を示す情報から、それぞれ、カーテン費用、照明費用、エアコン費用、外構費用、引越し費用を決定する。なお、カーテン費用、照明費用、外構費用については、プランに応じた費用が予め記憶部１３に記憶されているので、プランが選択された場合には、そのプランに応じた費用を用い、プランが選択されずに具体的な見積り金額が入力された場合には、その金額を用いる。エアコン費用は、予め記憶部１３に記憶されているエアコン１台分の費用に、部屋情報から得られた部屋数を掛けることにより、算出する。さらに、住宅ローン仲介システム１は、借入金額と土地代とから、所定の計算式により登記費用を算出し、地域情報から水道加盟金を決定し、その他の費用入力部３１に入力された情報から、浄化槽工事費用、及び、上下水本管取り出し工事費用を決定する。水道加盟金については、地域情報に対応して予め記憶部１３に記憶されているものとする。そして、住宅ローン仲介システム１は、これらカーテン費用、照明費用、エアコン費用、外構費用、引越し費用、登記費用、水道加盟金、浄化槽工事費用、及び、上下水本管取り出し工事費用を合算したものを、その他費用とする。
【００２８】
そして、住宅ローン仲介システム１は、土地購入費、借入諸費用、解体にかかる費用、及び、その他費用を合算したものを、建物以外の費用とし、自己資金情報によって示される自己資金額と借入金額とを合算した総予算から、建物以外の費用を減算することにより、建物費用を算出する。
【００２９】
また、住宅ローン仲介システム１は、建物の部屋部分の広さに対し統計的に得られている建物の坪数を、建物の部屋部分の広さに対応付けて予め記憶部１３に記憶しており、部屋情報から算出される建物の部屋部分の広さに対応する建物の坪数を、希望坪数として決定し、その坪数で建物費用を除算することにより、坪単価を算出し、参考坪単価とする。
【００３０】
そして、住宅ローン仲介システム１は、上記のように算出した借入金額と建物以外の費用と建物費用と含む資金計画結果を表示する資金計画結果画面を、クライアント装置２に送信する（Ｓ１０５  資金計画結果送信手段）。クライアント装置２には、図４−１、４−２に示すような資金計画結果画面が表示される（Ｓ１０６）。
【００３１】
資金計画結果画面には、上記のように住宅ローン仲介システム１が決定し、あるいは、資金計画情報から抽出した、希望坪数、家を建てる地域、月々の返済額、ボーナス月の返済加算額、ローンを組む年数、当初固定年数、金利、及び、解体建物坪数が表示される。なお、構造を示す情報が選択されていれば、その構造に応じた解体建物坪単価が、選択されていなければ、初期設定である「鉄骨造」の解体建物坪単価が表示される。
【００３２】
さらに、資金計画結果画面には、上記のように住宅ローン仲介システム１が決定し、あるいは、資金計画情報から抽出した、自己資金、借入金額、建物費用、建物以外の費用、土地購入費、借入諸費用、解体にかかる費用、その他費用、及び、参考坪単価が表示される。
【００３３】
借入希望者が資金計画結果画面に設けられている商品閲覧ボタン４１をクリックすると、クライアント装置２は、希望坪数と参考坪単価とを含む商品情報閲覧要求を住宅ローン仲介システム１に送信する（Ｓ１０７）。すると、住宅ローン仲介システム１は、受信した希望坪数と参考坪単価とに基づいて、その参考坪単価に適合する住宅の商品情報を、商品情報ＤＢ１７から抽出して、検索された商品情報を一覧表示する商品情報一覧画面を、クライアント装置２に送信する（Ｓ１０９  商品情報送信手段）。クライアント装置２には、図１２に示すような商品情報一覧画面が表示される。この画面には、坪単価（坪数に応じて異なる場合には、希望坪数に応じた坪単価）が参考坪単価以下の住宅と、坪単価が参考坪単価を超えるがその差が所定範囲内の住宅とについて、住宅会社名と商品名とが表示され、前者の住宅は「あなたの条件に合う商品」として、後者の住宅は「調整すれば条件に合う商品」として表示される。また、商品名の横のボタン４２をクリックすれば、より詳細な情報が閲覧でき、ボタン４３をクリックすれば、他の商品情報を閲覧することができる。なお、住宅ローン仲介システム１が、資金計画結果画面を送信する際に、参考坪単価に適合する商品の商品情報を、商品情報ＤＢ１７から抽出して送信することとし、クライアント装置２で商品閲覧ボタン４１がクリックされたときに、その商品情報が一覧表示されるように構成してもよい。
【００３４】
また、借入希望者が資金計画結果画面に設けられている返済計画入力ボタン４２をクリックすると、返済計画入力画面を住宅ローン仲介システム１に要求し（Ｓ１１０）、住宅ローン仲介システム１はそれに応じて返済計画入力画面をクライアント装置２に送信し（Ｓ１１１  返済計画入力画面送信手段）、クライアント装置２には、図５−１〜５−５に示すような返済計画入力画面が表示される（Ｓ１１２）。
【００３５】
返済計画入力画面は、返済計画情報を入力可能に構成され、返済計画情報には、当初貯蓄残高を示す情報（以下、「貯蓄情報」という。）と、年収（年間の世帯収入）の算出の基礎となる情報（以下、「収入情報」という。）と、年間支出の算出の基礎となる情報（以下、「支出情報」という。）と、年間返済額の算出の基礎となる情報（以下、「返済情報」という。）とが含まれる。また、返済計画入力画面には、資金計画情報と資金計画結果とから抽出した情報が既入力されている。
【００３６】
詳しくは、返済計画入力画面に設けられた地域情報入力部５１には、資金計画情報中の地域情報が既入力され、費用情報入力部５２には、資金計画結果中の建物費用及び建物以外の費用が既入力されている。また、借入情報入力部５４には、資金計画結果中の借入金額、ローンを組む年数、及び、当初固定年数が、借入金額、借入年数、及び、当初借入期間として既入力されるとともに、借入金額を算出する際に算出しておいた当初借入期間（当初固定年数）における月々の返済額及びボーナス併用の場合のボーナス月の返済加算額と、当初借入期間終了後（当初固定年数経過後）における月々の返済額及びボーナス併用の場合のボーナス月の返済加算額とが、既入力されている。
【００３７】
借入希望者は、返済計画入力画面に設けられた自己資金入力部５３に、貯蓄額（預金額）、貯蓄額のうちの自己資金額、及び、親からの援助額をそれぞれ入力する。また、世帯情報入力部５５、年収入力部５６、生活費入力部５７、保険入力部５８、教育計画入力部５９、及び、その他設定入力部６０に、それぞれ、図５−２〜５−５に示すように、家族構成、各家族の年収、月々の生活費、各種保険料、進学予定、及び、物価上昇率等その他の設定項目を入力する。また、既入力されている項目も、必要に応じて修正する。
【００３８】
入力された項目（既入力のものも含む。）のうち、自己資金入力部５３に入力された貯蓄額と自己資金額とが、貯蓄情報に相当し、年収入力部５６に入力された各家族の年収が、収入情報に相当し、生活費入力部５７、保険入力部５８、教育計画入力部５９、及び、その他設定入力部６０に入力された月々の生活費、各種保険料、進学予定、及び、その他の設定項目が、支出情報に相当し、借入情報入力部５４に入力された月々の返済額及びボーナス月の返済加算額が、返済情報に相当する。
【００３９】
そして、借入希望者が入力を確定するための確定ボタン６１をクリックすると、クライアント装置２は、返済計画入力画面において入力された返済計画情報を住宅ローン仲介システム１に送信する（Ｓ１１３）。住宅ローン仲介システム１は、受信した返済計画情報に基づいて、年間収支と年間貯蓄残高とを含む返済計画結果を作成する。
【００４０】
詳しくは、住宅ローン仲介システム１は、貯蓄情報のうちの貯蓄額から自己資金額を差し引くことにより当初貯蓄残高を算出し、収入情報から年間の収入を算出する。また、返済情報から年間のローン返済額を、支出情報から年間の生活費、年間の保険料、年間の教育費、及び、年間のその他費用を算出して、これらを合算したものを年間の支出合計とする。なお、教育費は、進学予定に基づき、各イベント（小学校入学、中学入学等）に対応付けて予め記憶部１３に記憶している費用を参照して算出する。また、年間の保険料は、学資保険とその他の保険に分けて算出する。そして、住宅ローン仲介システム１は、これらの算出結果から、年毎の年間収支と年間貯蓄残高とを算出して、それらを含む返済計画結果を作成し、図６−１に示すような返済計画結果を表示する第１の返済計画結果画面を、クライアント装置２に送信する（Ｓ１１４  返済計画結果送信手段）。
【００４１】
クライアント装置２には、第１の返済計画結果画面が表示される（Ｓ１１５）。第１の返済計画結果画面には、返済計画結果として、年毎の、主なイベント、収入合計、ローン残高、生活費、生命保険等の学資保険以外の保険料、教育費と学資保険料との合算額、その他費用、及び、支出合計が表示されるとともに、収入合計から支出合計を差し引くことにより算出した年間収支と、前年の貯蓄残高に年間収支を加算した年間貯蓄残高とが表示される。借入希望者は、この返済計画結果を見て、返済に無理があるか否かを判断できる。
【００４２】
また、借入希望者が、クライアント装置２において所定の操作を行うと、住宅ローン仲介システム１は、図６−２に示すような返済計画結果を表示する第２の返済計画結果画面を作成して、クライアント装置２に送信し、クライアント装置２には第２の返済計画結果画面が表示される。第２の返済計画結果画面には、返済計画結果として、図６−２の上段に示すように、年毎の年間支出を、ローン返済額、生活費、学資保険以外の保険料、教育費と学資保険料との合算額、及び、その他費用に分類して、グラフ表示したものと、図６−２の下段に示すように、年毎の貯蓄残高の推移をグラフ表示したものとが、表示される。これらの返済計画結果からも、借入希望者は返済に無理があるか否かを判断できる。
【００４３】
借入希望者が、クライアント装置２において、第１の返済計画結果画面又は第２の返済計画結果画面に設けられた借入条件入力ボタン（図示せず。）をクリックすると、クライアント装置２は住宅ローン仲介システム１に借入条件入力画面を要求し（Ｓ１１６）、住宅ローン仲介システム１はそれに応じて、借入条件入力画面をクライアント装置２に送信し（Ｓ１１７  借入条件入力画面送信手段）、クライアント装置２には、図７−１〜７−２に示すような借入条件入力画面が表示される（Ｓ１１８）。借入条件入力画面は、借入金額を示す情報と年収を示す情報と自己資金を示す情報とを含む借入条件情報を、入力可能に構成されている。
【００４４】
住宅ローン仲介システム１は、借入条件入力画面を送信する場合において、借入条件入力ボタンがクリックされた第１又は第２の返済計画結果画面の基となった返済計画情報（すなわち、ステップＳ１１３で受信した返済計画情報）、及び、その返済計画情報の基となった資金計画情報（すなわち、ステップＳ１０４で受信した資金計画情報）を参照し、それらから抽出可能な情報を既入力した状態で借入条件入力画面を送信する。具体的には、資金計画情報から自己資金情報及び地域情報を抽出して、それぞれ、借入条件入力画面の自己資金入力部６２、地域情報入力部６３に既入力し、さらに、返済計画情報から借入金額を抽出して、借入金額入力部６４に既入力した状態で、借入条件入力画面を送信する。なお、資金計画結果（すなわち、ステップＳ１０５で作成した資金計画結果）から借入金額等の情報を抽出して、借入条件入力画面に既入力することとしてもよい。なお、既入力された項目は、修正可能である。
【００４５】
借入希望者は、借入条件入力画面において、氏名、年齢、年収、勤務先、勤務形態、勤務年数、家族構成、及び、利用目的を入力する。これらの項目は、必須項目である。
【００４６】
また、借入希望者は、借入条件入力画面において、わかっている或いは希望している場合には、借入年数、変動金利か固定金利かの金利種別、固定金利の場合の当初固定年数、及び、優遇条件情報を入力する。優遇条件情報とは、優遇を受けられる条件となり得る情報をいい、ここでは、給与・各種料金の振込・振替先が変更可能か否かの情報、及び、エコ住宅等、建てる住宅の仕様についての情報とする。なお、住宅ローン仲介システム１が、ステップＳ１１３で受信した返済計画情報に基づいて、借入年数及び固定金利の場合の当初固定年数を、借入条件入力画面に既入力しておくこととしてもよい。
【００４７】
また、借入希望者が銀行選択ボタン６６をクリックすると、クライアント装置２は、住宅ローン仲介システム１に金融機関選択画面の送信を要求し、住宅ローン仲介システム１は、図８に示すような金融機関選択画面をクライアント装置２に送信する。金融機関選択画面には、複数の金融機関について、金融機関名、住宅ローン商品名、条件による優遇の有無、及び、金利が表示され、条件による優遇有りの場合には、例えば「有」と表示された部分のクリック等、所定の操作により、その条件が表示される。借入希望者は、金融機関名の左に設けられたチェックボックスをクリックすることにより、借入条件を送信したい金融機関を選択する。但し、金融機関を選択するか否かは任意である。
【００４８】
なお、住宅ローン仲介システム１が、クライアント装置２から、金融機関選択画面の送信の要求とともに優遇条件情報を受信し、優遇条件情報によって優遇が受けられる住宅ローンについては、その旨を表示することとしてもよい。図８の例では、○○銀行のＢプラン及び△△しんきんのＨプランに星印が付され、優遇が受けられることを示している。これにより、借入希望者は、自己の条件によって優遇を受けられる住宅ローンを知ることができる。
【００４９】
また、住宅ローン仲介システム１が、例えば、予め各金融機関についてどの地域に店舗があるかの情報を記憶しておいて、クライアント装置２から金融機関選択画面の送信の要求とともに地域情報を受信し、地域情報で示される地域に店舗がある金融機関の情報を優先的に表示する等、地域情報に適合する金融機関の情報を優先表示する、あるいは、地域情報に適合する金融機関の情報のみを表示するようにしてもよい。
【００５０】
そして、借入希望者が、借入条件入力画面に戻って確定ボタン６５をクリックすると、クライアント装置２は、借入条件入力画面において入力された借入条件情報を、住宅ローン仲介システム１に送信する（Ｓ１１９）。借入条件情報には、氏名、年齢、借入金額、自己資金額、年収、勤務先、勤務形態、勤務年数、地域情報、家族構成、及び、利用目的が含まれる。また、借入年数、金利種別、固定金利の場合の当初固定年数、及び、優遇条件情報も、入力された場合には含まれる。また、金融機関選択画面において金融機関が選択された場合には、選択された金融機関を示す金融機関情報（例えば、金融機関名）も含まれる（金融機関情報受信手段）。
【００５１】
住宅ローン仲介システム１は、受信した借入条件情報に基づいて、返済が困難か否かを判定する（Ｓ１２０  借入条件判定手段）。返済が困難か否かは、例えば、借入金額が年収の何倍であるかを算出し、その倍率が年齢に応じて予め設定しておいた限度となる倍率以下であれば返済困難でない、そうでなければ返済困難であると判断する。また、借入年数、金利種別、固定金利の場合の当初固定年数が入力されている場合には、それらの情報と、金利種別に応じて予め設定しておいた平均的な金利とに基づいて、所定の計算式により年間返済額を算出し、年間返済額を年収で除算した返済負担率が、予め設定しておいた限度となる返済負担率以下であれば返済困難でない、そうでなければ返済困難であると判断してもよい。かかる場合、限度となる返済負担率を自己資金に応じて設定しておくこととしてもよい。また、返済計画入力画面において入力された返済計画情報中の返済情報（すなわち、ステップＳ１１３で受信した返済情報）を、住宅ローン仲介システム１が借入条件入力画面に既入力してクライアント装置２に送信し、その返済情報を含んだ借入条件情報を住宅ローン仲介システム１がクライアント装置２から受信して、その返済情報から算出される年間返済額と、年収とから、返済負担率を算出して、上記と同様に返済困難か否かを判断するようにしてもよい。
【００５２】
住宅ローン仲介システム１は、返済困難であると判断した場合には、その借入条件情報は顧客情報ＤＢ１６には登録せず、返済困難である旨を表示する画面（図示せず。）をクライアント装置２に送信して表示させる（Ｓ１２１）。この画面には、例えば「資金計画を再入力して下さい。」というような資金計画入力画面に誘導するための表示もなされる（Ｓ１２２）。借入希望者が借入条件入力画面に設けられた資金計画入力画面に戻るためのボタン６７をクリックすると、クライアント装置２は資金計画入力画面を住宅ローン仲介システム１に要求し、上記ステップＳ１０１以降の処理が行われる。
【００５３】
一方、住宅ローン仲介システム１は、返済困難でないと判断した場合には、その借入条件情報を、番号等からなる識別情報を付して顧客情報ＤＢ１６に登録し（Ｓ１２３）、登録した旨と借入希望者に対して付与したＩＤ及びパスワードとを表示するための画面(図示せず。）を、クライアント装置２に送信して表示させる。住宅ローン仲介システム１は、付与したＩＤ及びパスワードを、その借入希望者の借入条件情報に関連付けて、顧客情報ＤＢ１６に記憶する。
【００５４】
金融機関の担当者が、コンピュータ３において、インターネットを介して住宅ローン仲介システム１にアクセスし、自社の金融機関情報を入力して所定の操作を行うと、コンピュータ３は、金融機関情報を住宅ローン仲介システム１に送信し、借入条件一覧画面を要求する（Ｓ１２４）。住宅ローン仲介システム１は、受信した金融機関情報に基づいて、顧客情報ＤＢ１６から、その金融機関情報を含む借入条件情報を抽出するとともに、金融機関情報を全く含まない借入条件情報（すなわち、金融機関選択画面において金融機関を選択しなかった借入希望者の借入条件情報）を抽出し、それらの借入条件情報に基づいて、借入条件一覧を作成し、その借入条件一覧を表示するための借入条件一覧画面を、コンピュータ３に送信する（Ｓ１２５  借入条件情報送信手段）。コンピュータ３には、図９に示すような借入条件一覧画面が表示される（Ｓ１２６）。
【００５５】
借入条件一覧画面には、借入条件情報に付された識別情報（図９の例では、「０２２１」〜「０２２５」）とともに、基本情報として、借入条件情報中の年齢及び住宅を建てる地域を示す情報が、一覧表示される。
【００５６】
借入条件一覧画面において、金融機関の担当者が、基本情報の横の詳細ボタン７１をクリックすると、図１０−１に示すような住宅ローン情報入力画面が表示される。住宅ローン情報入力画面には、基本情報に付された識別情報（図１０−１の例では、「０２２１」）が表示されるとともに、その識別情報が付された借入条件情報のうち氏名を除く情報が、借入条件情報表示部７２に表示される。なお、図１０−１の例では、識別情報「０２２１」の借入条件情報には、金利種別及び当初固定年数は含まれていないため、これらについても表示されていない。
【００５７】
住宅ローン情報入力画面は、住宅ローンに関する住宅ローン情報を入力可能に構成されている。金融機関の担当者は、住宅ローン情報入力画面において借入条件情報を閲覧して、打診したい借入条件情報に対して、住宅ローン情報として、借入年数、当初固定年数、金利、及び、月々の返済金額を、第１の住宅ローン情報入力部７３に入力する。さらに、金融機関の担当者は、例えば、給与振込先をその金融機関に変更する等、条件を追加すれば優遇される場合には、住宅ローン情報として、追加する条件と、借入年数、当初固定年数、金利、及び、月々の返済金額を、第２の住宅ローン情報入力部７４に入力する。なお、追加する条件としては、詳細情報中の優遇条件情報に対応するものに限らず、その金融機関独自のもの（例えば、クレジットカードの契約や、Ｗｅｂバンキング契約等）を入力できる。
【００５８】
金融機関の担当者が、住宅ローン情報入力画面に設けられている打診ボタン７５をクリックすると、コンピュータ３は、住宅ローン情報を借入条件情報の識別情報とともに住宅ローン仲介システム１に送信し（Ｓ１２７）、住宅ローン仲介システム１は、その識別情報とともに住宅ローン情報を受信して、それらを住宅ローン情報ＤＢ１８に記憶する（Ｓ１２８  住宅ローン情報記憶手段）。なお、住宅ローン情報の中には、その住宅ローン情報を入力した金融機関の金融機関情報も含まれる。
【００５９】
借入希望者が、クライアント装置２において住宅ローン仲介システム１にアクセスし、借入条件情報の登録時に付与されたＩＤ及びパスワードの入力等、所定の操作を行うと、クライアント装置２は、住宅ローン情報一覧画面を住宅ローン仲介システム１に要求し（Ｓ１２９）、住宅ローン仲介システム１は、入力されたＩＤ及びパスワードに関連付けられている借入条件情報を、顧客情報ＤＢ１６から検索するとともに、その借入条件情報に識別情報を介して関連付けられている（すなわち、その借入条件情報の識別情報と同じ識別情報とともに記憶されている）住宅ローン情報を、住宅ローン情報ＤＢ１８から検索し、図１１−１に示すような住宅ローン情報一覧画面を作成して、クライアント装置２に送信し（Ｓ１３０  住宅ローン情報送信手段）、クライアント装置２には住宅ローン情報一覧画面が表示される（Ｓ１３１）。
【００６０】
住宅ローン情報一覧画面には、ステップＳ１２９において入力したＩＤ及びパスワードに対応付けられている借入条件情報が、入力情報表示部８１に表示され、各金融機関の担当者がその借入条件情報に対して入力した住宅ローン情報が、金融機関毎に一覧表示される。この住宅ローン情報には、符号８２〜８４に示すように、金融機関の担当者が入力した条件も含まれる。したがって、借入希望者は、金融機関によって様々なものがあり得る優遇条件を、一覧することができる。
【００６１】
借入希望者が、チェックボックス８５にチェックを入れることにより、事前審査を希望する住宅ローン情報を選択し、住所・電話番号等の連絡先情報を入力し、事前審査申込ボタン８６をクリックすると、クライアント装置２は住宅ローン仲介システム１に、入力情報表示部８１に表示されている借入条件情報を示す情報（例えば、借入条件情報そのものや、借入条件情報の識別情報）と、選択された住宅ローン情報を示す情報と、連絡先情報とが含まれた住宅ローン選択情報を、住宅ローン仲介システム１に送信する（Ｓ１３２）。
【００６２】
住宅ローン仲介システム１は、受信した住宅ローン選択情報に基づいて、その住宅ローン選択情報で示される借入条件情報及び住宅ローン情報と、受信した連絡先情報とを含む事前審査申込情報を作成し、その住宅ローン情報中の金融機関情報で示される金融機関のコンピュータ３に、電子メールで送信する（Ｓ１３３  事前審査申込情報送信手段）。ここで送信される借入条件情報には、氏名も含まれる。コンピュータ３は事前審査申込情報を受信し（Ｓ１３４）、金融機関の担当者は、その事前審査申込情報を見て、借入希望者に対して事前審査に必要な書類を郵送等する。
【００６３】
以上説明したように、住宅ローン仲介システム１は、借入条件情報に基づいて返済が困難か否かを判定し、返済困難でないと判断した借入条件情報を、金融機関のコンピュータに送信し、返済困難であると判断した借入条件情報は、金融機関のコンピュータに送信しない。そして、住宅ローン仲介システム１は、借入条件情報に対して金融機関のコンピュータから入力された住宅ローン情報を、クライアント装置に送信する。したがって、借入希望者は、返済困難でないと判断された借入条件に対して各金融機関が入力した住宅ローン情報を、クライアント装置２で閲覧して比較することができ、借入側にとって有利かつ返済に無理のない住宅ローンを選択可能となる。
【００６４】
また、住宅ローン仲介システム１は、資金計画情報に基づいて建物費用を算出し、資金計画結果に含めてクライアント装置２に送信するので、借入希望者は建物費用を知ることができる。
【００６５】
さらに、住宅ローン仲介システム１は、返済計画情報に基づいて年間収支と年間貯蓄残高とを含む返済計画結果を作成し、クライアント装置２に送信するので、借入希望者は、その返済計画結果を見てから借入条件情報を入力でき、返済に無理のない借入条件情報を入力可能である。
【００６６】
また、住宅ローン仲介システム１は、借入条件情報を返済困難と判定したとき、クライアント装置２に資金計画入力画面を送信するので、借入希望者を資金計画の入力からやり直すように誘導できる。
【００６７】
また、住宅ローン仲介システム１は、借入希望者が金融機関を選択した場合には、その金融機関を示す金融機関情報をクライアント装置２から受信して、その金融機関情報が示す金融機関のコンピュータ３にのみ、借入条件情報を送信するので、借入希望者は自分の希望する金融機関にのみ、借入条件情報を開示することができる。
【００６８】
また、住宅ローン仲介システム１は、資金計画結果中の坪単価（参考坪単価）に適合する商品の商品情報を、クライアント装置２に送信するので、借入希望者は、まず資金計画を行って、自分がどの程度の坪単価の建物を建てられるのかを知った上で、その坪単価に適合した商品の商品情報を閲覧でき、実際に建設可能な建物の選択が容易となる。
【００６９】
また、返済計画入力画面に、資金計画情報と資金計画結果とから抽出した情報が既入力されるので、借入希望者の情報の入力の手間が省け、誤入力の虞が少なくなる。なお、返済計画入力画面には、資金計画情報及び資金計画結果の少なくともいずれかから必要な情報を抽出して既入力すればよい。借入条件入力画面についても同様であり、借入条件入力画面には、資金計画情報、資金計画結果、及び、返済計画情報の少なくともいずれかから必要な情報を抽出して既入力すればよい。
【００７０】
なお、住宅ローン仲介システム１を複数のコンピュータからなるシステムとしたり、顧客情報ＤＢ１６と住宅ローン情報ＤＢ１８とを１つのデータベースとする等、ハードウェア構成やデータベースの構成は適宜変更可能である。
【符号の説明】
【００７１】
１…住宅ローン仲介システム
２…クライアント装置
３…コンピュータ
【図１】
0005794812.tif 000002
【図２−１】
0005794812.tif 000003
【図２−２】
0005794812.tif 000004
【図３−１】
0005794812.tif 000005
【図３−２】
0005794812.tif 000006
【図３−３】
0005794812.tif 000007
【図４−１】
0005794812.tif 000008
【図４−２】
0005794812.tif 000009
【図５−１】
0005794812.tif 000010
【図５−２】
0005794812.tif 000011
【図５−３】
0005794812.tif 000012
【図５−４】
0005794812.tif 000013
【図５−５】
0005794812.tif 000014
【図６−１】
0005794812.tif 000015
【図６−２】
0005794812.tif 000016
【図７−１】
0005794812.tif 000017
【図７−２】
0005794812.tif 000018
【図８】
0005794812.tif 000019
【図９】
0005794812.tif 000020
【図１０−１】
0005794812.tif 000021
【図１０−２】
0005794812.tif 000022
【図１１−１】
0005794812.tif 000023
【図１１−２】
0005794812.tif 000024
【図１２】
0005794812.tif 000025